(57)【要約】【課題】バルーンを複数回容易にリラップすることが可能なリラップ装置、及びリラップシステムを提供する。【解決手段】リラップ装置１は、前後方向に延びる壁部であって、前後方向と直交する断面形状が略円弧状である壁部１４、１５、１６、１７を各々が有し、左右方向に配置された案内部１１、１２と、案内部１１、１２を連結し、曲折可能な連結部１８とを備えている。連結部１８の曲折に応じ、案内部１１の接触面１１Ａと案内部１２の接触面１２Ａとが当接した場合、案内部１１、１２の夫々の壁部１４、１５、１６、１７は、前後方向に沿って延びる案内孔を形成する。使用者は、リラップ装置に対してバルーンカテーテルを相対移動させる。この場合、リラップ装置１は、形成された案内孔にバルーンカテーテルを通過させることによって、バルーンを折り畳んで収縮させることができる。【選択図】図１
2019088377.tif 000002
【特許請求の範囲】
【請求項１】
所定の軸方向に延びる壁部であって、前記軸方向と直交する断面形状が略円弧状である壁部を各々が有し、前記軸方向と交差する交差方向に配置された複数の案内部と、
前記複数の案内部のうち前記交差方向に隣接する２つの案内部を連結し、曲折可能な少なくとも１つの連結部と、
を備えたリラップ装置であって、
前記少なくとも１つの連結部の曲折に応じて前記２つの案内部が当接した場合、前記複数の案内部の夫々の壁部は、前記軸方向に沿って延びる案内孔を形成することを特徴とするリラップ装置。
【請求項２】
前記複数の案内部のうち少なくとも１つは、カテーテルシャフトが係合する第１係合部を有することを特徴とする請求項１に記載のリラップ装置。
【請求項３】
前記壁部は、前記軸方向に並ぶ第１壁部と第２壁部とを含み、
前記軸方向と直交する断面において、前記第１壁部の径は前記第２壁部の径よりも大きいことを特徴とする請求項１又は２に記載のリラップ装置。
【請求項４】
前記第１壁部は、
前記軸方向のうち前記第２壁部に近接する側から離隔する側に向かう程径が大きくなることを特徴とする請求項３に記載のリラップ装置。
【請求項５】
前記複数の案内部のうち少なくとも１つは、前記案内孔の断面積を小さくするように付勢されたことを特徴とする請求項１から４の何れかに記載のリラップ装置。
【請求項６】
前記複数の案内部のうち少なくとも１つは、前記壁部を補強する補強部を備えたことを特徴とする請求項１から５の何れかに記載のリラップ装置。
【請求項７】
前記壁部に凹凸が形成されたことを特徴とする請求項１から６の何れかに記載のリラップ装置。
【請求項８】
前記壁部にシボが形成されたことを特徴とする請求項１から７の何れかに記載のリラップ装置。
【請求項９】
前記複数の案内部は、シリンジが係合する第２係合部を備えたことを特徴とする請求項１から８の何れかに記載のリラップ装置。
【請求項１０】
請求項１から９の何れかに記載のリラップ装置を複数備えたリラップシステム。
【発明の詳細な説明】
【技術分野】
【０００１】
本発明は、一旦拡張したバルーンカテーテルのバルーンを再度折り畳むためのリラップ装置、及びリラップシステムに関する。
【背景技術】
【０００２】
血管の狭窄した箇所を拡張する治療に使用されるバルーンカテーテルが知られている。バルーンカテーテルは、バルーンが折り畳まれた状態で体内に導入される。バルーンは、血管内の狭窄した箇所まで誘導された後、拡張して血管を押し広げる。その後、バルーンカテーテルは体外に取り出される。体外に取りされたバルーンカテーテルが再利用される場合がある。この場合、一旦拡張されたバルーンを元の状態に折り畳む必要がある。特許文献１は、バルーンをリラップ（再折り畳み）するためのリラップ装置を開示する。リラップ装置は、両端部に拡径部が形成された筒状を有する。使用者は、リラップ装置をコネクタ側（「基端側」という。）からシャフトに沿ってバルーン側（「先端側」という。）に向けて滑らせる。リラップ装置がバルーンの位置を通過することにより、バルーンはリラップされる。
【先行技術文献】
【特許文献】
【０００３】
【特許文献１】実用新案登録第３１１５６６７号公報
【発明の概要】
【発明が解決しようとする課題】
【０００４】
上記リラップ装置は、基端側から先端側に向けて移動させて使用されることが前提となる。なぜならば、リラップ装置がバルーンの位置を通過するとき、シャフトを保持することによってバルーンが移動しないよう規制できるためである。ここで、バルーンをリラップするためにリラップ装置を移動させた後、リラップ装置はバルーンに対して先端側に配置される。このため、リラップ装置によるバルーンのリラップを２回以上実行しようとした場合、バルーンに対して先端側に配置されたリラップ装置を、元の基端側に移動させなければならない。この移動の際、リラップ装置からバルーンに作用する力によってキンク等が発生する可能性がある。この場合、バルーンを再度拡張させた時に適切に拡張せず、血管の狭窄した箇所を適切に押し広げることができない場合がある。
【０００５】
本発明の目的は、バルーンを複数回容易にリラップすることが可能なリラップ装置、及びリラップシステムを提供することである。
【課題を解決するための手段】
【０００６】
本発明の第１態様に係るリラップ装置は、所定の軸方向に延びる壁部であって、前記軸方向と直交する断面形状が略円弧状である壁部を各々が有し、前記軸方向と交差する交差方向に配置された複数の案内部と、前記複数の案内部のうち前記交差方向に隣接する２つの案内部を連結し、曲折可能な少なくとも１つの連結部と、を備えたリラップ装置であって、前記少なくとも１つの連結部の曲折に応じて前記２つの案内部が当接した場合、前記複数の案内部の夫々の壁部は、前記軸方向に沿って延びる案内孔を形成することを特徴とする。
【０００７】
リラップ装置は、バルーンカテーテルのうちバルーンよりも基端側のシャフト近傍に配置された状態で少なくとも１つの連結部を曲折させることにより、案内孔にシャフトを通すことができる。この状態で、リラップ装置がバルーンに対して基端側から先端側に相対移動することにより、バルーンを折り畳むことができる。又、リラップ装置は、連結部を伸長させることによって、案内孔からバルーンカテーテルを一旦取り出すことができる。このため、リラップ装置によってバルーンを複数回折り畳む場合、使用者は、再度、リラップ装置がシャフト近傍に配置された状態で少なくとも１つの連結部を曲折させ、案内孔にシャフトを通すことができる。つまり、バルーンに対して先端側から基端側にリラップ装置を移動させて案内孔にバルーンを通す必要がない。従って、リラップ装置は、バルーンのリラップが複数回実行される場合でも、バルーンを容易に折り畳むことができる。
【０００８】
第１態様において、前記複数の案内部のうち少なくとも１つは、カテーテルシャフトが係合する第１係合部を有してもよい。この場合、リラップ装置は、第１係合部にシャフトを係合させることによって、リラップ装置に対するバルーンカテーテルの位置を安定化できる。従って使用者は、リラップ装置に対するバルーンカテーテルの位置がずれることを抑制できるので、バルーンを容易に折り畳むことができる。
【０００９】
第１態様において、前記壁部は、前記軸方向に並ぶ第１壁部と第２壁部とを含み、前記軸方向と直交する断面において、前記第１壁部の径は前記第２壁部の径よりも大きくてもよい。この場合、軸方向のうち第１壁部側からバルーンを案内孔に挿入することによって、案内孔に対してバルーンを進入し易くできる。
【００１０】
第１態様において、前記第１壁部は、前記軸方向のうち前記第２壁部に近接する側から離隔する側に向かう程径が大きくなってもよい。この場合、案内孔のうち第１壁部側から第２壁部側に向けてバルーンを移動させることによって、案内孔のうち径が大きい側から小さい側に向けてバルーンを移動させることができる。この場合、リラップ装置は、バルーンを徐々に小さく折り畳むことができるので、バルーンを容易に折り畳むことができる。
【００１１】
第１態様において、前記複数の案内部のうち少なくとも１つは、前記案内孔の断面積を小さくするように付勢されてもよい。この場合、リラップ装置は、案内孔を通過するバルーンに対して案内孔の中心に向かう方向の力を付与できる。従って、リラップ装置は、バルーンをより小さく折り畳むことができる。
【００１２】
第１態様において、前記複数の案内部のうち少なくとも１つは、前記壁部を補強する補強部を備えてもよい。この場合、リラップ装置は、バルーンが案内孔を通過する場合に外向きの力が内壁に作用した場合でも、案内孔の径が拡張することを補強部によって抑制できる。従って、リラップ装置は、適切な大きさにバルーンを折り畳むことができる。
【００１３】
第１態様において、前記壁部に凹凸が形成されてもよい。この場合、リラップ装置は、案内孔を通過するバルーンに対して中心軸に向かう方向の力を、壁部に形成された凹凸により局所的に付与できる。この場合、リラップ装置は、バルーンを容易に折り畳むことができる。
【００１４】
第１態様において、前記壁部にシボが形成されてもよい。この場合、リラップ装置は、案内孔を通過するバルーンに作用する抵抗を軽減できる。従って使用者は、バルーンのリラップの過程でリラップ装置を先端側に移動させる場合に必要な力を抑制できる。
【００１５】
第１態様において、前記複数の案内部は、シリンジが係合する第２係合部を備えてもよい。この場合、使用者は、少なくとも１つの連結部が曲折した状態でシリンジから案内孔に液体を注入し、案内孔を洗浄できる。
【００１６】
本発明の第２態様に係るリラップシステムは、第１態様に係るリラップ装置を複数備えている。第２態様によれば、使用者は、複数のリラップ装置を用いてバルーンをリラップできる。
【図面の簡単な説明】
【００１７】
【図１】リラップ装置１（第１状態）の斜視図である。
【図２】リラップ装置１（第２状態）の斜視図である。
【図３】図２のＡ−Ａ線を矢印方向から見た断面図であって、リラップ装置１の使用方法を示す図である。
【図４】リラップ装置２Ａ、２Ｂ（第１状態）を含むリラップシステム２の斜視図である。
【図５】リラップ装置２Ａ（第２状態）、及びリラップ装置２Ｂ（第１状態）を含むリラップシステム２の斜視図である。
【図６】リラップ装置２Ａ、２Ｂ（第２状態）を含むリラップシステム２の斜視図である。
【図７】リラップ装置３（第１状態）の斜視図である。
【図８】リラップ装置３（第２状態）の斜視図である。
【図９】リラップ装置４（第１状態）の斜視図である。
【図１０】リラップ装置５（第２状態）を前側から見た図である。
【図１１】変形例におけるリラップ装置１（第２状態）の斜視図である。
【発明を実施するための形態】
【００１８】
＜第１実施形態＞
図１〜図３を参照し、本発明の第１実施形態に係るリラップ装置１について説明する。図１の左上側、右下側、左下側、右上側、上側、及び下側を、それぞれ、後述する第１状態におけるリラップ装置１の左側、右側、前側、下側、上側、及び下側と定義する。
【００１９】
図１に示すように、リラップ装置１は、案内部１１、１２、及び連結部１８を有する。案内部１１、１２は、それぞれ同一形状を有する。案内部１１、１２は、長方形の略板状を有し、左右方向に並んで配置される。案内部１１、１２の長手方向は前後方向に延び、短手方向は左右方向に延びる。案内部１１、１２の下端部の左右両側の角は湾曲する。案内部１１は、案内部１２に対して左側に隣接する。案内部１１、１２の材料として、例えばポリプロピレン等の熱可塑性樹脂が使用可能である。
【００２０】
連結部１８は、案内部１１の右端部と案内部１２の左端部とを連結する。連結部１８は、湾曲した板状を有する。連結部１８は、弾性変形により曲折可能である。図１は、連結部１８が伸長した場合におけるリラップ装置１の状態（以下、「第１状態」という。）を示している。後述する図２は、連結部１８が曲折した場合におけるリラップ装置１の状態（以下、「第２状態」という。）を示している。
【００２１】
案内部１１のうち、第１状態とした場合において上側に配置される面（以下、「接触面１１Ａ」という。）に、壁部１４、１５が形成される。案内部１２のうち、第１状態とした場合において上側に配置される面（以下、「接触面１２Ａ」という。）に、壁部１６、１７が形成される。壁部１４〜１７は同一形状を有する。壁部１４〜１７は、それぞれ、溝状の凹部である。壁部１４〜１７は、前後方向に沿って直線状に延びる。壁部１４〜１７は、それぞれ互いに平行に延びる。壁部１４、１５は、接触面１１Ａの前端部から後端部に亘って延びる。壁部１４は、壁部１５に対して左側に隣接する。壁部１６、１７は、接触面１２Ａの前端部から後端部に亘って延びる。壁部１６は、壁部１７に対して左側に隣接する。壁部１４〜１７を前後方向と直交する平面で切断した時の断面形状は、円弧状となる。
【００２２】
壁部１４は、第２係合部１４Ａ、第１壁部１４Ｂ、及び第２壁部１４Ｃを有する。第２係合部１４Ａ、第１壁部１４Ｂ、及び第２壁部１４Ｃは、この順で前側から後側に向けて並ぶ。第１壁部１４Ｂ及び第２壁部１４Ｃのそれぞれの前後方向の長さは、略同一である。第２係合部１４Ａの前後方向の長さは、第１壁部１４Ｂ及び第２壁部１４Ｃのそれぞれの前後方向の長さの略１／４である。第２係合部１４Ａの後端部は、第１壁部１４Ｂの前端部に連結する。第２壁部１４Ｃの前端部は、第１壁部１４Ｂの後端部に連結する。第２係合部１４Ａ、第１壁部１４Ｂ、及び第２壁部１４Ｃはそれぞれ、前後方向と直交する平面で切断した時の断面形状（円弧状）の直径（以下、単に「第２係合部／第１壁部／第２壁部の直径」という。）が相違する。第２係合部１４Ａの直径は、前端部から後端部に亘って等しい。以下、第２係合部１４Ａの直径をＬ１と表記する。第２壁部１４Ｃの直径は、前端部から後端部に亘って等しい、以下、第２壁部１４Ｃの直径をＬ２と表記する。第１壁部１４Ｂの前端部の直径は、第２係合部１４Ａの直径と等しく、Ｌ１である。第１壁部１４Ｂの後端部の直径は、第２壁部１４Ｃの直径と等しく、Ｌ２である。第１壁部１４Ｂの直径は、後端部から前端部に向けて、Ｌ２からＬ１まで線形変化する。即ち、第１壁部１４Ｂの直径は、前後方向において、第２壁部１４Ｃに近接する側から離隔する側に向かう程大きくなる。第１壁部１４Ｂの直径は、第２壁部１４Ｃの直径以上となる。
【００２３】
壁部１５は、第２係合部１５Ａ、第１壁部１５Ｂ、及び第２壁部１５Ｃを有する。壁部１６は、第２係合部１６Ａ、第１壁部１６Ｂ、及び第２壁部１６Ｃを有する。壁部１７は、第２係合部１７Ａ、第１壁部１７Ｂ、及び第２壁部１７Ｃを有する。第２係合部１５Ａ、１６Ａ、１７Ａは、それぞれ、壁部１４における第２係合部１４Ａに対応する。第１壁部１５Ｂ、１６Ｂ、１７Ｂは、それぞれ、壁部１４における第１壁部１４Ｂに対応する。第２壁部１５Ｃ、１６Ｃ、１７Ｃは、それぞれ、壁部１４における第２壁部１４Ｃに対応する。
【００２４】
案内部１１は更に、第１係合部１４Ｄ、１５Ｄを有する。第１係合部１４Ｄは、第２壁部１４Ｃのうち前後方向中央の位置に設けられる。第１係合部１４Ｄは、第２壁部１４Ｃの左端部から右側に向けて突出し、第２壁部１４Ｃの一部を上側から覆う。第１係合部１５Ｄは、第２壁部１５Ｃのうち前後方向中央の位置に設けられる。第１係合部１５Ｄは、第２壁部１５Ｃの左端部から右側に向けて突出し、第２壁部１４Ｃ一部を上側から覆う。
【００２５】
図２は、連結部１８が曲折した場合におけるリラップ装置１の状態（第２状態）を示す。以下、第２状態のリラップ装置１を説明する場合については、図２の左上側、右下側、左下側、右上側、上側、及び下側を、それぞれ、リラップ装置１の左側、右側、前側、下側、上側、及び下側と定義する。
【００２６】
図２に示すように、連結部１８が曲折することに応じ、案内部１１の接触面１１Ａと案内部１２の接触面１２Ａとは、上下方向に対向して当接する。又、案内部１１の第１壁部１４Ｂ及び第２壁部１４Ｃ（図１参照）と、案内部１２の第１壁部１７Ｂ及び第２壁部１７Ｃ（図１参照）とが上下方向に並んで配置され、案内孔１３１が形成される。以下、案内孔１３１のうち、第１壁部１４Ｂ、１７Ｂ（図１参照）に対応する部分を、「第１案内孔１３１Ｂ」といい、第２壁部１４Ｃ、１７Ｃ（図１参照）に対応する部分を、「第２案内孔１３１Ｃ」という。又、第２係合部１４Ａと第２係合部１７Ａ（図１参照）とが上下方向に並んで配置され、第２係合部１３１Ａが形成される。第２係合部１３１Ａ、第１案内孔１３１Ｂ、及び第２案内孔１３１Ｃは、前後方向に並んで延び、案内部１１、１２を貫通する。
【００２７】
同様に、案内部１１の第１壁部１５Ｂ及び第２壁部１５Ｃ（図１参照）と、案内部１２の第１壁部１６Ｂ及び第２壁部１６Ｃ（図１参照）とが上下方向に並んで配置され、案内孔１３２が形成される。以下、案内孔１３２のうち、第１壁部１５Ｂ、１６Ｂ（図１参照）に対応する部分を、「第１案内孔１３２Ｂ」といい、第２壁部１５Ｃ、１６Ｃ（図１参照）に対応する部分を、「第２案内孔１３２Ｃ」という。又、第２係合部１５Ａと第２係合部１６Ａ（図１参照）とが上下方向に並んで配置され、第２係合部１３２Ａが形成される。第２係合部１３２Ａ、第１案内孔１３２Ｂ、及び第２案内孔１３２Ｃは、前後方向に沿って延び、案内部１１、１２を貫通する。
【００２８】
図３を参照し、リラップ装置１の使用方法について説明する。リラップ装置１は、バルーンカテーテル９のバルーン９Ａを折り畳んで収縮した状態に変形させる（リラップする）為に使用される。バルーンカテーテル９は、バルーン９Ａ及びカテーテルシャフト９Ｂを有する。バルーン９Ａは、収縮した状態で３枚の羽根が形成される、３枚羽式のバルーンである。バルーン９Ａは、カテーテルシャフト９Ｂの一端側の端部に接続される。以下、バルーンカテーテル９の一端側を「先端側」と言い、先端側と反対側を「基端側」という。なお、本実施形態において、膨張した状態のバルーン９Ａの直径は、リラップ装置１の第２係合部１４Ａ、１５Ａ、１６Ａ、１７Ａの直径Ｌ１、及び、第１壁部１４Ｂ、１５Ｂ、１６Ｂ、１７Ｂの前端部の直径Ｌ１と略同一であるとする。
【００２９】
図３（Ａ）に示すように、はじめに、第１状態（図１参照）とされたリラップ装置１が準備される。案内部１１の上側に、バルーン９Ａを含むバルーンカテーテル９が配置される。このとき、バルーンカテーテル９の先端側がリラップ装置１の前側に配置され、バルーンカテーテル９の基端側がリラップ装置１の後側に配置されるように、バルーンカテーテル９の前後方向の向きが調整される。又、案内部１１の前端部よりも前側にバルーン９Ａが配置されるように、バルーンカテーテル９の前後方向の位置が調整される。更に、壁部１４の第２壁部１４Ｃに設けられた第１係合部１４Ｄにカテーテルシャフト９Ｂが係合される。これによって、案内部１１に対するバルーンカテーテル９の位置は保持される。
【００３０】
次に、図３（Ｂ）に示すように、連結部１８（図１参照）が曲折されることによって、リラップ装置１は第２状態（図２参照）となる。案内部１１の上側に案内部１２が配置される。第１壁部１４Ｂ及び第２壁部１４Ｃと、第１壁部１７Ｂ及び第２壁部１７Ｃとが上下方向に並んで配置され、案内孔１３１が形成される。第２係合部１４Ａと第２係合部１７Ａとが上下方向に並んで配置され、第２係合部１３１Ａが形成される。バルーンカテーテル９のカテーテルシャフト９Ｂは、第２係合部１３１Ａ、第１案内孔１３１Ｂ、第２案内孔１３１Ｃの内部に配置される。バルーンカテーテル９のバルーン９Ａは、第２係合部１３１Ａよりも前側に配置される。
【００３１】
次に、図３（Ｃ）に示すように、バルーンカテーテル９が基端側に引っ張られる。これによって、バルーンカテーテル９は、第２状態のリラップ装置１に対して後側に移動する（矢印Ｙ１）。バルーンカテーテル９のバルーン９Ａは、リラップ装置１の前側から第２係合部１３１Ａに進入し、更に後側に移動して第１案内孔１３１Ｂに進入する。ここで、第１案内孔１３１Ｂの直径は、第２係合部１３１Ａ側（前側）から第２案内孔１３１Ｃ側（後側）に向けて、Ｌ１からＬ２まで次第に小さくなる。従って、バルーン９Ａが第１案内孔１３１Ｂ内を前側から後側に向けて移動することに応じ、バルーン９Ａは第１壁部１４Ｂ、１７Ｂから力を受け、次第に折り畳まれる。
【００３２】
図３（Ｄ）に示すように、バルーンカテーテル９が後側に更に移動した場合（矢印Ｙ２）、バルーン９Ａは、第１案内孔１３１Ｂを通過して第２案内孔１３１Ｃに進入する。これによって、折り畳まれたバルーンＡの直径は、第２案内孔１３１Ｃの直径と同じＬ２まで収縮する。その後、連結部１８（図１参照）が伸長されることによって、リラップ装置１は第１状態（図１参照）となる。案内部１１、１２は離隔するため、バルーンカテーテル９は、バルーン９Ａが折り畳まれて収縮した状態で、リラップ装置１から取り出し可能となる。
【００３３】
なお、バルーンカテーテル９のバルーン９Ａについて、リラップ装置１を用いて複数回繰り返し収縮させる操作が行われる場合、使用者は、図９（Ａ）〜（Ｄ）の操作を繰り返し実行する。このため、バルーン９Ａをリラップする過程で、使用者は常に、バルーンカテーテル９に対してリラップ装置１を基端側から先端側に相対移動させることになる。従って、使用者はリラップ装置１をバルーンカテーテル９の先端側から基端側に移動させる必要はない。
【００３４】
なお、リラップ装置１は、第２状態とした場合に形成される第２係合部１３１Ａにシリンジを係合させることができる。このため使用者は、バルーンカテーテル９のバルーン９Ａを収縮させるためにリラップ装置１を使用した後、第２係合部１３１Ａにシリンジを係合させ、シリンジから洗浄液を案内孔１３１、１３２に注入することができる。これによって、使用者は、使用後のリラップ装置１を洗浄できる。又、使用者は、上記と同様の使用方法を、案内孔１３２を用いることで実行することも可能である。
【００３５】
＜第１実施形態の作用、効果＞
リラップ装置１の使用者は、バルーンカテーテル９のうちバルーン９Ａよりも基端側のカテーテルシャフト９Ｂ近傍にリラップ装置１が配置された状態で、連結部１８を曲折させ、リラップ装置１を第１状態から第２状態に変化させる。これにより、カテーテルシャフト９Ｂは案内孔１３１、１３２内に配置される。この状態で使用者は、バルーン９Ａに対してリラップ装置１を基端側から先端側に相対移動させる。これによって、バルーン９Ａを折り畳んで収縮させることができる。又、例えば使用者は、バルーン９Ａを２回目以降に折り畳んで収縮させる場合、リラップ装置１の連結部１８を伸長させて第２状態から第１状態に戻し、リラップ装置１からバルーンカテーテル９を取り出す。そして使用者は、再度、カテーテルシャフト９Ｂ近傍にリラップ装置１を配置させた状態で連結部１８を曲折させ、第２状態のリラップ装置１をバルーン９Ａに対して基端側から先端側に相対移動させる。つまり、使用者は、リラップ装置１を第１状態とすることによってバルーンカテーテル９を取り出すことができるので、バルーン９Ａに対して先端側から基端側にリラップ装置１を移動させて案内孔１３１にバルーンを通す必要がない。従って、リラップ装置１は、バルーン９Ａのリラップが複数回実行される場合でも、バルーン９Ａを容易に折り畳むことができる。
【００３６】
リラップ装置１は、第２壁部１４Ｃに第１係合部１４Ｄを有し、第２壁部１５Ｃに第１係合部１５Ｄを有する。バルーンカテーテル９のカテーテルシャフト９Ｂが第１係合部１４Ｄ、１５Ｄに係合された場合、リラップ装置１に対するバルーンカテーテル９の位置はずれにくくなる。このように、リラップ装置１は、第１係合部１４Ｄ、１５Ｄにカテーテルシャフト９Ｂを係合させることによって、リラップ装置１に対するバルーンカテーテル９の位置を安定化させることができる。従って使用者は、リラップ装置１に対するバルーンカテーテル９の位置がずれることを抑制できるので、リラップ装置１によってバルーン９Ａを容易に折り畳むことができる。
【００３７】
壁部１４は、第１壁部１４Ｂ、及び第２壁部１４Ｃを有する。第１壁部１４Ｂの直径（Ｌ１〜Ｌ２）は、第２壁部１４Ｃの直径Ｌ２以上である。壁部１５の第１壁部１５Ｂ及び第２壁部１５Ｃ、壁部１６の第１壁部１６Ｂ及び第２壁部１６Ｃ、壁部１７の第１壁部１７Ｂ及び第２壁部１７Ｃについても同様である。この場合、第１壁部１４Ｂ、１５Ｂ、１６Ｂ、１７Ｂよりも前側からバルーン９Ａを案内孔１３１、１３２に挿入することによって、案内孔１３１、１３２に対してバルーン９Ａを進入し易くできる。
【００３８】
第１壁部１４Ｂは、前記第２壁部に近接する後側から離隔する前側に向かう程、直径が大きくなる。第１壁部１５Ｂ、１６Ｂ、１７Ｂについても同様である。この場合、案内孔１３１、１３２のうち第１案内孔１３１Ｂ、１３２Ｂ側から第２案内孔１３１Ｃ、１３２Ｃ側に向けてバルーン９Ａを移動させることによって、案内孔１３１、１３２のうち直径が大きい側から小さい側に向けてバルーン９Ａを移動させることができる。この場合、リラップ装置１は、バルーン９Ａを徐々に小さく折り畳んで収縮させることができるので、バルーン９Ａを容易に折り畳むことができる。
【００３９】
リラップ装置１は、第２状態とした場合に形成される第２係合部１３１Ａ、１３２Ａにシリンジを係合させ、シリンジから洗浄液を案内孔１３１、１３２に注入することができる。これによって、使用者は、使用後のリラップ装置１の壁部１４〜１７を洗浄できる。
【００４０】
＜第２実施形態＞
図４〜図６を参照し、本発明の第２実施形態に係るリラップシステム２について説明する。図４に示すように、リラップシステム２は、リラップ装置２Ａ、２Ｂを有する。リラップ装置２Ａ、２Ｂは、前後方向に並ぶ。リラップ装置２Ａは、リラップ装置２Ｂの前側に隣接する。リラップシステム２は、案内部２１、２２、２３を有する。案内部２１、２２、２３はそれぞれ、前後方向と直交する平面で切断したときの断面形状が、中心角１８０度の扇形となる柱体である。案内部２１、２２、及び、案内部２２、２３は、それぞれ、左右方向に並んで配置される。案内部２１、２３は、案内部２２に対して左側に隣接する。案内部２１、２３は、前後方向に並んで配置される。案内部２１の前後方向の長さは、案内部２３の前後方向の長さの略３倍である。案内部２１、２３のそれぞれの前後方向の長さを加算した値は、案内部２２の前後方向の長さと略等しい。以下、第１実施形態に係るリラップ装置１（図１〜図３参照）と同一の構成については、説明を省略する。
【００４１】
リラップ装置２Ａは、案内部２１、案内部２２の前端側の一部（「案内部２２１」という。）、及び、連結部２８Ａにより構成される。連結部２８Ａは、案内部２１の右端部と案内部２２１の左端部とを連結する。案内部２１のうち、連結部２８Ａが伸長した第１状態において上側に配置される接触面２１Ａに、壁部２４が形成される。壁部２４は、接触面２１Ａの前端部から後端部に亘って直線状に延びる。壁部２４は、第２係合部２４Ａ、第１壁部２４Ｂ、及び第２壁部２４Ｃを有する。案内部２２１のうち、第１状態において上側に配置される接触面２２１Ａに、壁部２５が形成される。壁部２５は、接触面２２１Ａの前端部から後端部に亘って直線状に延びる。壁部２５は、第２係合部２５Ａ、第１壁部２５Ｂ、及び第２壁部２５Ｃを有する。第２係合部２４Ａ、２５Ａ、第１壁部２４Ｂ、２５Ｂ、及び第２壁部２４Ｃ、２５Ｃのそれぞれの形状は、リラップ装置１（図１参照）における第２係合部１４Ａ、第１壁部１４Ｂ、及び第２壁部１４Ｃ等に対応する。
【００４２】
リラップ装置２Ｂは、案内部２３、案内部２２の後端側の一部（「案内部２２２」という。）、及び、連結部２８Ｂにより構成される。連結部２８Ｂは、案内部２３の右端部と案内部２２２の左端部とを連結する。案内部２３のうち、連結部２８Ｂが伸長した第１状態において上側に配置される接触面２３Ａに、壁部２６が形成される。壁部２６は、接触面２３Ａの前端部から後端部に亘って直線状に延びる。壁部２６は、第１壁部２６Ｂ、及び第２壁部２６Ｃを有する。案内部２２２のうち、第１状態において上側に配置される接触面２２２Ａに、壁部２７が形成される。壁部２７は、第１壁部２７Ｂ、及び第２壁部２７Ｃを有する。第１壁部２６Ｂ、２７Ｂ、及び第２壁部２６Ｃ、２７Ｃのそれぞれの形状は、リラップ装置１（図１参照）における第１壁部１４Ｂ、及び第２壁部１４Ｃ等に対応する。第１壁部２６Ｂ、２７Ｂの前端部の直径は、リラップ装置２Ａの第１壁部２４Ｂ、２５Ｂの前端部の直径の略１／２である。第２壁部２６Ｃ、２７Ｃの直径は、リラップ装置２Ａの第２壁部２４Ｃ、２５Ｃの直径と同一である。
【００４３】
案内部２２に形成される壁部２５、２７は、前後方向に一直線状に並ぶ。第２係合部２５Ａ、第１壁部２５Ｂ、第２壁部２５Ｃ、第１壁部２７Ｂ、及び第２壁部２７Ｃは、この順で前側から後側に向けて順番に並ぶ。又、リラップ装置２Ａ、２Ｂがそれぞれ第１状態である場合、案内部２１の壁部２４と案内部２３の壁部２６とは、前後方向に一直線状に並ぶ。第２係合部２４Ａ、第１壁部２４Ｂ、第２壁部２４Ｃ、第１壁部２６Ｂ、及び第２壁部２６Ｃは、この順で前側から後側に向けて順番に並ぶ。
【００４４】
図５は、図４の状態に対し、連結部２８Ａが曲折してリラップ装置２Ａが第２状態となり、リラップ装置２Ｂが第１状態のまま維持された場合を示す。連結部２８Ａが曲折することに応じ、案内部２１の接触面２１Ａと案内部２２１の接触面２２１Ａとは、上下方向に対向して当接する。又、案内部２１の第１壁部２４Ｂ及び第２壁部２４Ｃ（図４参照）と、案内部２２１の第１壁部２５Ｂ及び第２壁部２５Ｃ（図４参照）とが上下方向に並んで配置され、案内孔２９が形成される。以下、案内孔２９のうち、第１壁部２４Ｂ、２５Ｂ（図４参照）に対応する部分を、「第１案内孔２９Ｂ」といい、第２壁部２４Ｃ、２５Ｃ（図４参照）に対応する部分を、「第２案内孔２９Ｃ」という。又、案内部２１の第２係合部２４Ａ（図４参照）と、案内部２２１の第２係合部２５Ａ（図４参照）とが上下方向に並んで配置され、第２係合部２９Ａが形成される。第２係合部２９Ａ、第１案内孔２９Ｂ、及び第２案内孔２９Ｃは、前後方向に並んで延び、案内部２１、２２１を貫通する。 
【００４５】
図６は、図５の状態に対し、連結部２８Ｂが曲折して、リラップ装置２Ａ、２Ｂが第２状態となった場合を示す。連結部２８Ｂが曲折することに応じ、案内部２３の接触面２３Ａ（図４参照）と案内部２２の接触面２２２Ａ（図４参照）とは、上下方向に対向して当接する。又、案内部２３の第１壁部２６Ｂ及び第２壁部２６Ｃ（図４参照）と、案内部２２２の第１壁部２７Ｂ及び第２壁部２７Ｃ（図４参照）とが上下方向に並んで配置され、案内孔３０が形成される。以下、案内孔３０のうち、第１壁部２６Ｂ、２７Ｂ（図４参照）に対応する部分を、「第１案内孔３０Ｂ」といい、第２壁部２６Ｃ、２７Ｃ（図４参照）に対応する部分を、「第２案内孔３０Ｃ」という。第２係合部２９Ａ、第１案内孔２９Ｂ、第２案内孔２９Ｃ、第１案内孔３０Ｂ、及び第２案内孔３０Ｃは、前後方向に並んで延び、案内部２１、２２、２３を貫通する。
【００４６】
リラップシステム２の使用方法について説明する。はじめに、第１状態とされたリラップ装置２Ａ、２Ｂが準備される（図４参照）。案内部２２１の上側に、バルーン９Ａを含むバルーンカテーテル９（図３参照）が配置される。次に、連結部２８Ａ、２８Ｂが曲折されることによって、リラップ装置２Ａ、２Ｂは第２状態（図６参照）となり、案内孔２９、３０が形成される。バルーンカテーテル９のカテーテルシャフト９Ｂは、第２係合部２９Ａ及び案内孔２９、３０の内部に配置される。バルーン９Ａは、第２係合部２９Ａよりも前側に配置される。次に、バルーンカテーテル９が基端側に引っ張られる。これによって、バルーンカテーテル９は、リラップシステム２に対して後側に相対移動する。バルーン９Ａは、リラップ装置２Ａの前側から第２係合部２９Ａを介して第１案内孔２９Ｂに進入する。バルーン９Ａが第１案内孔２９Ｂ内を前側から後側に向けて移動することに応じ、バルーン９Ａは第１壁部２４Ｂ、２５Ｂから力を受け、次第に収縮する。バルーンカテーテル９が後側に更に移動した場合、バルーン９Ａは、第１案内孔２９Ｂを通過して第２案内孔２９Ｃに進入する。
【００４７】
更に、第２案内孔２９Ｃを通過したバルーン９Ａは、第１案内孔３０Ｂに進入する。ここで、第１案内孔３０Ｂの前端部の直径は、第２案内孔２９Ｃの直径よりも大きいため、バルーン９Ａは再度膨張する場合がある。しかし、バルーン９Ａが第１案内孔３０Ｂを通過して前側から後側に向けて移動することで、バルーン９Ａは第１壁部２６Ｂ、２７Ｂから力を受けて再度収縮する。バルーンカテーテル９が後側に更に移動した場合、バルーン９Ａは、第１案内孔３０Ｂを通過して第２案内孔３０Ｃに進入する。その後、連結部２８Ａ、２８Ｂが伸長されることによって、リラップ装置２Ａ、２Ｂは第１状態（図４参照）となる。バルーンカテーテル９は、バルーン９Ａが収縮した状態でリラップシステム２から取り出し可能となる。第２案内孔３０Ｃの径が第２案内孔２９Ｃの径よりも小さいので、リラップ装置２Ａ、２Ｂを使用することで、段階的にバルーン９Ａを折り畳むことができる。また、バルーン９Ａが第２案内孔３０Ｃにのみ挿通する場合よりも、バルーン９Ａが第２案内孔２９Ｃを経て第２案内孔３０Ｃに相通した場合の方が、バルーン９Ａを引抜く抵抗が小さくなり、安全に、より小さい径へ折り畳むことができる。
【００４８】
＜第２実施形態の作用、効果＞
リラップシステム２では、リラップ装置２Ａ、２Ｂが前後方向に並ぶ。又、第１案内孔２９Ｂ、第２案内孔２９Ｃ、第１案内孔３０Ｂ、及び第２案内孔３０Ｃが前後方向に一直線状に並ぶ。このため使用者は、リラップ装置２Ａ、２Ｂを用いることによって、バルーン９Ａを折り畳んで収縮させるための力を、複数回連続してバルーン９Ａに付与できる。この場合、リラップ装置２Ａ、２Ｂは、バルーン９Ａをより確実に折り畳んで収縮させることができる。
【００４９】
＜第３実施形態＞
図７、図８を参照し、本発明の第３実施形態に係るリラップ装置３について説明する。図７に示すように、リラップ装置３は、案内部３１、３２、３３、及び連結部３８Ａ、３８Ｂを有する。案内部３１〜３２は、それぞれ同一形状を有する。案内部３１〜３３は、前後方向と直交する平面で切断したときの断面形状が、中心角１２０度の扇形となる柱体である。案内部３１〜３３は、左右方向に並んで配置される。案内部３１は、案内部３２に対して左側に隣接する。案内部３２は、案内部３３に対して左側に隣接する。連結部３８Ａは、案内部３１の右端部と案内部３２の左端部とを連結する。連結部３８Ｂは、案内部３２の右端部と案内部３３の左端部とを連結する。連結部３８Ａ、３８Ｂは、湾曲した板状を有する。図７は、連結部３８Ａ、３８Ｂが伸長した第１状態を示している。案内部３１において中心軸から左斜め下側及び右斜め下側に延びる平面を、それぞれ、接触面３１Ａ、３１Ｂという。案内部３２の接触面３２Ａ、３２Ｂ、及び、案内部３３の接触面３３Ａ、３３Ｂは、それぞれ、案内部３１の接触面３１Ａ、３１Ｂに対応する。
【００５０】
案内部３１の中心に沿って、壁部３５が形成される。壁部３５は、前後方向に直線状に延びる。壁部３５を前後方向と直交する平面で切断した時の断面形状は、中心角が１２０度の円弧状となる。壁部３５は、第２係合部３５Ａ、第１壁部３５Ｂ、及び第２壁部３５Ｃを有する。第２係合部３５Ａ、第１壁部３５Ｂ、及び第２壁部３５Ｃのそれぞれの直径の関係は、リラップ装置１（図１参照）における第２係合部１４Ａ、第１壁部１４Ｂ、及び第２壁部１４Ｃ等に対応する。
【００５１】
壁部３５のうち第２係合部３５Ａ、第１壁部３５Ｂに亘って、ガイド部３５Ｄが設けられる。ガイド部３５Ｄは、第２係合部３５Ａ、第１壁部３５Ｂから、案内部３１の中心軸に向けて突出する。ガイド部３５Ｄの形状は、前後方向に長い略四面体状を有する。ガイド部３５Ｄを前後方向と直交する平面で切断したときの断面積は、前端部分から、第２係合部３５Ａと第１壁部３５Ｂとの境界部分に向けて次第に大きくなり、その後、境界部分から後端部分に向けて次第に小さくなる。
【００５２】
案内部３２の中心に沿って、壁部３６が形成される。壁部３６は、第２係合部３６Ａ、第１壁部３６Ｂ、及び第２壁部３６Ｃを有する。壁部３６のうち第２係合部３６Ａ、第１壁部３６Ｂに亘って、ガイド部３６Ｄが設けられる。案内部３３の中心に沿って、壁部３７が形成される。壁部３７は、第２係合部３７Ａ、第１壁部３７Ｂ、及び第２壁部３７Ｃを有する。壁部３７のうち第２係合部３７Ａ、第１壁部３７Ｂに亘って、ガイド部３７Ｄが設けられる。第２係合部３６Ａ、３７Ａ、第１壁部３６Ｂ、３７Ｂ、及び第２壁部３６Ｃ、３７Ｃ、ガイド部３６Ｄ、３７Ｄは、それぞれ、壁部３５の第２係合部３５Ａ、第１壁部３５Ｂ、第２壁部３５Ｃ、及びガイド部３５Ｄに対応する。
【００５３】
図８は、リラップ装置３において連結部３８Ａ、３８Ｂが曲折した第２状態を示す。連結部３８Ａ、３８Ｂが曲折することに応じ、案内部３１の接触面３１Ｂ（図７参照）と案内部３２の接触面３２Ａ（図７参照）とが当接し、案内部３２の接触面３２Ｂ（図７参照）と案内部３３の接触面３３Ａ（図７参照）とが当接し、案内部３１の接触面３１Ａ（図７参照）と案内部３３の接触面３３Ｂ（図７参照）とが当接する。これにより、案内部３１の第１壁部３５Ｂ、第２壁部３５Ｃ（図７参照）、案内部３２の第１壁部３６Ｂ、第２壁部３６Ｃ（図７参照）、案内部３３の第１壁部３７Ｂ、第２壁部３７Ｃ（図７参照）で囲まれた部分に案内孔３４が形成される。以下、案内孔３４のうち、第１壁部３５Ｂ、３６Ｂ、３７Ｂ（図７参照）に対応する部分を、「第１案内孔３４Ｂ」といい、第２壁部３５Ｃ、３６Ｃ、３７Ｃ（図７参照）に対応する部分を、「第２案内孔３４Ｃ」という。又、第２係合部３５Ａ、３６Ａ、３７Ａ（図７参照）で囲まれた部分に第２係合部３４Ａが形成される。第２係合部３４Ａ、第１案内孔３４Ｂ、及び第２案内孔３４Ｃは、前後方向に並んで延び、案内部３１〜３３を貫通する。
【００５４】
リラップ装置３の使用方法について説明する。はじめに、第１状態とされたリラップ装置３が準備される（図７参照）。案内部３２の上側に、バルーン９Ａを含むバルーンカテーテル９（図３参照）が配置される。次に、連結部３８Ａ、３８Ｂが曲折されることによって、リラップ装置３は第２状態（図８参照）となり、案内孔３４が形成される。バルーンカテーテル９のカテーテルシャフト９Ｂは、第２係合部３４Ａ及び案内孔３４の内部に配置される。バルーンカテーテル９のバルーン９Ａは、第２係合部３４Ａよりも前側に配置される。次に、バルーンカテーテル９が基端側に引っ張られる。これによって、バルーンカテーテル９は、リラップ装置３に対して後側に相対移動する。バルーンカテーテル９のバルーン９Ａは、リラップ装置３の前側から第２係合部３４Ａを介して第１案内孔３４Ｂに進入する。バルーン９Ａが第１案内孔３４Ｂ内を前側から後側に向けて移動することに応じ、バルーン９Ａは第１壁部３５Ｂ、３６Ｂ、３７Ｂから力を受け、次第に収縮する。又、バルーン９Ａは、ガイド部３５Ｄ、３６Ｄ、３７Ｄによって３枚の羽根が誘導され、それぞれ折り畳まれる。バルーンカテーテル９が後側に更に移動した場合、バルーン９Ａは、第１案内孔３４Ｂを通過して第２案内孔３４Ｃに進入する。その後、連結部３８Ａ、３８Ｂ、３８Ｃが伸長されることによって、リラップ装置３は第１状態（図７参照）となる。バルーンカテーテル９は、バルーン９Ａが収縮した状態でリラップ装置３から取り出し可能となる。
【００５５】
＜第３実施形態の作用、効果＞
以上のように、リラップ装置３では、第１案内孔３４Ｂ内に配置されるガイド部３５Ｄ〜３７Ｄによって、バルーン９Ａを３つに折り畳んで収縮させることができる。このため、リラップ装置３は、特に３枚羽式のバルーン９Ａを有するカテーテルシャフト９Ｂが用いられる場合において、バルーン９Ａを容易に折り畳んで収縮させることができる。
【００５６】
＜第４実施形態＞
図９を参照し、本発明の第４実施形態に係るリラップ装置４について説明する。リラップ装置２Ａは、案内部４１、４２、及び連結部４８を有する。案内部４１、４２はそれぞれ、前後方向と直交する平面で切断したときの断面形状が、中心角１８０度の扇形となる柱体である。案内部４１、４２は、左右方向に並んで配置される。案内部４１は、案内部４２に対して左側に隣接する。連結部４８は、案内部２１の右端部と案内部４２の左端部とを連結する。
【００５７】
案内部４１のうち、連結部４８が伸長した第１状態において上側に配置される接触面４１Ａに、壁部４４が形成される。壁部４４は、第２係合部４４Ａ、第１壁部４４Ｂ、及び第２壁部４４Ｃを有する。案内部４２のうち、第１状態において上側に配置される接触面４２Ａに、壁部４５が形成される。壁部４５は、第２係合部４５Ａ、第１壁部４５Ｂ、及び第２壁部４５Ｃを有する。第２係合部４４Ａ、４５Ａ、第１壁部４４Ｂ、４５Ｂ、及び第２壁部４４Ｃ、４５Ｃのそれぞれの形状は、リラップ装置１（図１参照）における第２係合部１４Ａ、第１壁部１４Ｂ、及び第２壁部１４Ｃ等に対応する。
【００５８】
第２壁部４４Ｃには、前後方向に沿って交互に配置された円環状の複数の凹部及び凸部（以下、「凹凸４４Ｄ」という。）が複数形成される。第２壁部４４Ｃの直径は、凹部でＬ２（図１参照）となり、凸部で、Ｌ２よりも小さくなる。第２壁部４５Ｃには、前後方向に沿って交互に配置された複数の凹部及び凸部（以下、「凹凸４５Ｄ」という。）が複数形成される。第２壁部４５Ｃの凹凸４５Ｄは、第２壁部４４Ｃの凹凸４４Ｄに対応する。
【００５９】
図９は、連結部４８が伸長した第１状態を示す。一方、連結部４８が曲折した第２状態となった場合、案内部４１の接触面４１Ａと案内部４２の接触面４２Ａとが当接する。これにより、案内部４１の第１壁部４４Ｂ、第２壁部４４Ｃと、案内部４２の第１壁部４５Ｂ、第２壁部４５Ｃとで囲まれた部分に、案内孔が形成される。案内孔のうち、第２壁部４４Ｃ、４５Ｃに対応する部分（以下、「第２案内孔」という。）の直径は、凹凸４４Ｄ、４５Ｄのそれぞれの凹部で最大となり、凸部で最小となる。つまり、第２案内孔の直径は、前後方向に沿って交互に変化する。
【００６０】
＜第４実施形態の作用、効果＞
バルーンカテーテル９のバルーン９Ａは、案内孔のうち第１壁部４４Ｂ、４５Ｂに対応する部分（以下、「第１案内孔」という。）を通過することによって、次第に折り畳まれ収縮する。その後、バルーン９Ａは、第１案内孔を通過して第２案内孔に進入する。バルーン９Ａは、第２案内孔を通過することによって、第２壁部４４Ｃ、４５Ｃの凹凸４４Ｄ、４５Ｄから局所的な力を断続的に受ける。これによって、バルーン９Ａは、収縮した状態で形状が安定化する。その後、連結部４８が伸長されることによって、リラップ装置４は第１状態（図９参照）となる。バルーンカテーテル９は、バルーン９Ａが収縮した状態でリラップ装置３から取り出し可能となる。
【００６１】
以上のように、リラップ装置４は、第２案内孔を通過するバルーン９Ａに対して中心軸に向かう方向の力を、第２壁部４４Ｃ、４５Ｃに形成された凹凸４４Ｄ、４５Ｄにより局所的に付与できる。この場合、リラップ装置５は、バルーン９Ａを容易に折り畳んで収縮させることができる。
【００６２】
＜変形例＞
本発明は上記実施形態に限定されず、種々の変更が可能である。リラップ装置の案内部の数は２つ（図１参照）３つ（図７参照）に限定されず、４つ以上であってもよい。壁部１４〜１７（図１参照）、２４〜２７（図４参照）、３５〜３７（図７参照）４４、４５（図９参照）のそれぞれの形状は、厳密に円弧状である場合に限らない。このため、例えば、各壁部の一部が平面状となっていてもよい。連結部１８（図１参照）、２８Ａ、２８Ｂ（図４参照）、３８Ａ、３８Ｂ（図７参照）、４８（図９参照）の形状は、曲折した板状に限らず、例えば、ヒンジ等により構成されていてもよい。リラップ装置１（図１参照）の第１係合部１４Ｄ、１５Ｄは、第２壁部１４Ｃ、１５Ｃの前後方向に複数設けられていてもよい。第２壁部１６Ｃ、１７Ｃに第１係合部が設けられていてもよい。
【００６３】
リラップ装置１において、壁部１４の第１壁部１４Ｂの直径の最小値、即ち、第１壁部１４Ｂの後端部の直径は、第２壁部１４Ｃの直径Ｌ２よりも大きくてもよい。この場合、例えば、第１壁部１４Ｂと第２壁部１４Ｃとの間の境界部分に、前後方向に対して直交する平面に沿って延びる段差が設けられていてもよい。リラップ装置１を第２状態とした場合に、第２係合部１３１Ａ、１３２Ａは第２壁部１４Ｃ〜１７Ｃのそれぞれの後端部に形成されてもよい。又、第２係合部１３１Ａ、１３２Ａは形成されなくてもよい。つまり、リラップ装置１の壁部１４〜１７は、第１壁部１４Ｂ〜１７Ｂ及び第２壁部１４Ｃ〜１７Ｃのみにより形成されていてもよい。リラップ装置２Ａ、２Ｂ、３、４についても同様である。
【００６４】
リラップ装置３のガイド部３５Ｄ〜３７Ｄの数は、３つに限定されない。例えば、バルーン９Ａの羽の数と同数のガイド部を有するリラップ装置が選択されて使用されてもよい。
【００６５】
リラップ装置４の第２壁部４４Ｃ、４５Ｃに形成された凹凸４４Ｄ、４５Ｄの形状は、円環状に限らず、他の形状であってもよい。例えば、凹凸４４Ｄ、４５Ｄは、第２壁部４４Ｃ、４５Ｃに形成された半球状の複数の凹凸であってもよい。
【００６６】
図１０は、変形例におけるリラップ装置５を示す。リラップ装置５は、案内部５１、５２、５３、５４、及び、連結部５８Ａ、５８Ｂ、５８Ｃを有する。案内部５１、５２、５３、５４はそれぞれ、第２壁部５１Ｃ、５２Ｃ、５３Ｃ、５４Ｃを有する。案内部５１は、中心軸に向けて付勢された付勢部５１Ｄを有する。付勢部５１Ｄのうち中心軸に近接する突出部５１Ｅは、第２壁部５１Ｃから突出する。案内部５２の付勢部５２Ｄ、案内部５３の付勢部５３Ｄ、案内部５４の付勢部５４Ｄは、それぞれ、案内部５１の付勢部５１Ｄに対応する。突出部５２Ｅ、５３Ｅ、５４Ｅは、それぞれ、第２壁部５２Ｃ、５３Ｃ、５４Ｃから突出する。
【００６７】
第２壁部５１Ｃ〜５４Ｃは、連結部５８Ａ、５８Ｂ、５８Ｃがそれぞれ曲折した第２状態において、前後方向に延びる第２案内孔５５を形成する。第２案内孔５５の断面積は、
第２壁部５１Ｃ〜５４Ｃで囲まれた円形部分の面積から、第２壁部５１Ｃ〜５４Ｃのそれぞれから突出する突出部５１Ｅ〜５４Ｅの面積を除いた部分に対応する。又、第２案内孔５５の断面積は、付勢部５１Ｄ〜５４Ｄによって付勢される突出部５１Ｅ〜５４Ｅの突出量が大きくなる程、小さくなる。つまり、付勢部５１Ｄ〜５４Ｄは、第２案内孔５５の直径が小さくなる向きに突出部５１Ｅ〜５４Ｅを中心軸に向けて付勢する。
【００６８】
例えば、非図示の第１案内孔によって折り畳まれ収縮した状態のバルーン９Ａが、第２案内孔５５を通過する場合、付勢部５１Ｄ〜５４Ｄは、突出部５１Ｅ〜５４Ｅを介してバルーン９Ａに対し、中心軸に向かう方向の力を付与できる。従って、リラップ装置５は、第２案内孔５５を通過する過程でバルーン９Ａをより小さく折り畳んで収縮させることができる。
【００６９】
なお、リラップ装置５において、第２案内孔５５を形成する第２壁部５１Ｃ〜５４Ｃは、弾性変形可能な部材（例えば、ゴム等）により形成されていてもよい。バルーン９Ａが第２案内孔５５を通過する場合、第２壁部５１Ｃ〜５４Ｃの弾性力によって、バルーン９Ａに対して中心軸に向かう方向の力を付与してもよい。
【００７０】
壁部１４〜１７（図１参照）、２４〜２７（図４参照）、３５〜３７（図７参照）４４、４５（図９参照）のそれぞれの表面に、シボ加工によりしわ模様が形成されていてもよい。この場合、リラップ装置１、２Ａ、２Ｂ、３、４は、案内孔を通過するバルーン９Ａに作用する抵抗を、案内孔の表面のしわ模様により軽減できる。従って使用者は、バルーン９Ａを折り畳んで収縮させる過程でリラップ装置１、２Ａ、２Ｂ、３、４を基端側から先端側に向けて相対移動させる場合に必要な力を抑制できる。
【００７１】
例えば図１１に示すように、リラップ装置１において、案内部１２のうち接触面１２Ａと反対側の面に、複数のリブ１２０Ａからなる補強部１２０が設けられていてもよい。複数のリブ１２０Ａは、前後方向に間隔を空けて配列してもよい。複数のリブ１２０Ａの内側の端部は、壁部１６、１７の外側に沿って配置されてもよい。補強部１２０は、複数のリブ１２０Ａによって壁部１６、１７を外側から補強してもよい。この場合、リラップ装置１は、バルーン９Ａが案内孔１３１、１３２を通過する場合において外向きの力が壁部１６、１７に作用した場合でも、案内孔１３１、１３２の径が拡張することを補強部１２０によって抑制できる。従って、リラップ装置１は、適切な大きさにバルーン９Ａを折り畳むことができる。
【００７２】
＜その他＞
前後方向は、本発明の「軸方向」の一例である。
【符号の説明】
【００７３】
１、２Ａ、２Ｂ、３、４、５：リラップ装置
２：リラップシステム
９：バルーンカテーテル
９Ａ：バルーン
９Ｂ：カテーテルシャフト
１１、１２、２１、２２、２３、３１、３２、３３、４１、４２、５１、５２、５３、５４、２２１、２２２：案内部
１４、１５、１６、１７、２４、２５、２６、２７、３５、３６、３７、４４、４５：壁部
１４Ｂ、１５Ｂ、１６Ｂ、１７Ｂ、２４Ｂ、２５Ｂ、２６Ｂ、２７Ｂ、３５Ｂ、３６Ｂ、３７Ｂ、４４Ｂ、４５Ｂ：第１壁部
１４Ｃ、１５Ｃ、１６Ｃ、１７Ｃ、２４Ｃ、２５Ｃ、２６Ｃ、２７Ｃ、３５Ｃ、３６Ｃ、３７Ｃ、４４Ｃ、４５Ｃ、５１Ｃ、５２Ｃ、５３Ｃ、５４Ｃ：第２壁部
１４Ａ、１５Ａ、１６Ａ、１７Ａ、２４Ａ、２５Ａ、２９Ａ、３４Ａ、３５Ａ、３６Ａ、３７Ａ、４４Ａ、４５Ａ、１３１Ａ、１３２Ａ：第２係合部
１４Ｄ、１５Ｄ：第１係合部
１８、２８Ａ、２８Ｂ、３８Ａ、３８Ｂ、４８、５８Ａ、５８Ｂ、５８Ｃ：連結部
２９、３０、３４、１３１、１３２：案内孔
２９Ｂ、３０Ｂ、３４Ｂ、１３１Ｂ、１３２Ｂ：第１案内孔
２９Ｃ、３０Ｃ、３４Ｃ、５５、１３１Ｃ、１３２Ｃ：第２案内孔
４４Ｄ、４５Ｄ、：凹凸
５１Ｄ、５２Ｄ、５３Ｄ、５４Ｄ：付勢部
【図１】
2019088377.tif 000003
【図２】
2019088377.tif 000004
【図３】
2019088377.tif 000005
【図４】
2019088377.tif 000006
【図５】
2019088377.tif 000007
【図６】
2019088377.tif 000008
【図７】
2019088377.tif 000009
【図８】
2019088377.tif 000010
【図９】
2019088377.tif 000011
【図１０】
2019088377.tif 000012
【図１１】
2019088377.tif 000013